(57)【要約】【課題】内導体と外導体との電気的な絶縁の信頼性をより高めたコネクタを提供する。【解決手段】コネクタは、内導体１０と、内導体１０を包囲する外導体２０と、外導体２０と内導体１０との間に配置される誘電体４０とを備える。誘電体４０は、内導体１０を収容する収容部４７を有するハウジング４１と、ハウジング４１に取り付けられるカバー４２とを有している。カバー４２は、カバー本体６１から突出してハウジング４１の側面部４６に係止されるカバー片部６２を有している。ハウジング４１は、側面部４６に、カバー片部６２の突出方向の先端部を側方から覆ってカバー片部６２がカバー本体６１に対して開く方向に変位するのを規制する規制部７１を有している。【選択図】図５
2020053280.tif 000002
【特許請求の範囲】
【請求項１】
内導体と、前記内導体を包囲する外導体と、前記外導体と前記内導体との間に配置される誘電体とを備え、
前記誘電体は、前記内導体を収容する収容部を有するハウジングと、前記ハウジングに取り付けられるカバーとを有し、
前記カバーは、前記収容部の開口面を覆うカバー本体と、前記カバー本体から突出して前記ハウジングの側面部に係止されるカバー片部とを有し、
前記ハウジングは、前記側面部に、前記カバー片部の突出方向の先端部を側方から覆って前記カバー片部が前記カバー本体に対して開く方向に変位するのを規制する規制部を有しているコネクタ。
【請求項２】
前記カバー片部の突出方向の先端部は、外側へ向けて前記カバー本体側に近づくように傾斜するカバー側斜面部を有し、前記規制部は、前記カバー側斜面部と対面するように傾斜するハウジング側斜面部を有している請求項１に記載のコネクタ。
【請求項３】
前記内導体は、電線に接続される電線接続部を有し、前記ハウジングの前記収容部は、前記電線接続部を収容する接続部収容領域を有し、前記ハウジングは、前記側面部に、前記接続部収容領域の側方を区画する接続部区画壁を有し、前記規制部は、前記接続部区画壁に設けられている請求項１又は２に記載のコネクタ。
【発明の詳細な説明】
【技術分野】
【０００１】
本発明は、コネクタに関する。
【背景技術】
【０００２】
特許文献１に開示のコネクタは、金属製の外導体（雄側外導体）と、合成樹脂製の誘電体（雄側誘電体）と、複数の金属製の内導体（雄側内導体）とを備えている。外導体は、アッパ部材とロア部材とを有している。誘電体は、複数の収容部（収容孔を含む溝部分）を有している。各収容部は、上下背合わせに配置され、後部が上側及び下側に開放されている。
【０００３】
各内導体は、誘電体の各収容部に収容される。アッパ部材は、各収容部の上側の開口面を覆うように誘電体に取り付けられ、ロア部材は、収容部の下側の開口面を覆うように誘電体に取り付けられる。誘電体が内導体と外導体との間に介在することにより、内導体と外導体との電気的な絶縁が確保される。
【先行技術文献】
【特許文献】
【０００４】
【特許文献１】特開２０１８−１２５１９９号公報
【発明の概要】
【発明が解決しようとする課題】
【０００５】
ところで、上記の場合は、各収容部の上側及び下側の開口面をそれぞれカバーで覆うことにより、内導体と外導体との電気的な絶縁の信頼性を高める構造にすることが可能となる。しかし、仮に、誘電体が前記カバーを有していても、側方から見たときに、誘電体のハウジング部分とカバーとの間に隙間が形成されていると、隙間に水滴などの異物が側方から入り込み易く、内導体と外導体が異物を介して電気的に短絡された状態になるおそれがある。
【０００６】
本発明は上記のような事情に基づいて完成されたものであって、内導体と外導体との電気的な絶縁の信頼性をより高めたコネクタを提供することを目的とする。
【課題を解決するための手段】
【０００７】
本発明は、内導体と、内導体を包囲する外導体と、外導体と内導体との間に配置される誘電体とを備える。誘電体は、内導体を収容する収容部を有するハウジングと、ハウジングに取り付けられるカバーとを有している。カバーは、収容部の開口面を覆うカバー本体と、カバー本体から突出してハウジングの側面部に係止されるカバー片部とを有している。ハウジングは、側面部に、カバー片部の突出方向の先端部を側方から覆ってカバー片部がカバー本体に対して開く方向に変位するのを規制する規制部を有している。
【０００８】
カバー片部の突出方向の先端部がハウジングの規制部で覆われることにより、カバー片部がカバー本体に対して開く方向に変位するのが規制されるため、カバー片部がハウジングの側面部に係止される状態を良好に維持することができる。また、規制部がカバー片部の突出方向の先端部を側方から覆うため、カバー片部の突出方向の先端部と規制部との間に形成され得る隙間を側方から見て無くすことができ、側方から進入しようとする水滴などの異物がハウジングの収容部内に入り込みにくくなる。これにより、内導体と外導体とが異物を介して短絡された状態になるのを回避することができ、内導体と外導体との電気的な絶縁の信頼性を高めることができる。
【０００９】
上述のとおり、規制部が電気的な絶縁の信頼性を確保する機能とカバーの開きを抑える機能とを兼備するため、両機能がハウジングの別々の部位に設けられる場合に比べ、ハウジングの構成を簡略化することができる。
【図面の簡単な説明】
【００１０】
【図１】本発明の実施例１におけるコネクタの分解斜視図である。
【図２】ハウジングに上下一対のカバーが組み付けられ、誘電体が形成された状態を示す斜視図である。
【図３】さらに下側のカバーにロア部材が取り付けられた状態を示す斜視図である。
【図４】さらに下側のカバーに上側のカバーが被せ付けられた状態を示す斜視図である。
【図５】誘電体の背面図である。
【図６】誘電体の正面図である。
【図７】誘電体の側面図である。
【図８】誘電体の収容部に内導体が収容された状態を示す断面図である。
【図９】ハウジングの背面図である。
【図１０】ハウジングの平面図である。
【図１１】カバーの平面図である。
【図１２】カバーの斜視図である。
【図１３】圧着前の外導体、カバー及び内導体の位置関係を示す背面図である。
【発明を実施するための形態】
【００１１】
本発明の好ましい実施形態を以下に示す。
（１）カバー片部の突出方向の先端部は、外側へ向けてカバー本体側に近づくように傾斜するカバー側斜面部を有し、規制部は、カバー側斜面部と対面するように傾斜するハウジング側斜面部を有している。このようなカバー側斜面部及びハウジング側斜面部であれば、カバー及びハウジングに比較的簡単に形成することができる。また、上記構成のようにカバー側斜面部とハウジング側斜面部が傾斜して対面する構成であれば、内導体と外導体との間の距離を詰めることができ、コネクタを小型にすることができる。
（２）内導体は、電線に接続される電線接続部を有し、ハウジングの収容部は、電線接続部を収容する接続部収容領域を有し、ハウジングは、側面部に、接続部収容領域の側方を区画する接続部区画壁を有し、規制部は、接続部区画壁に設けられている。仮に、接続部区画壁に規制部が設けられていないと、カバー片部の突出方向の先端部とハウジングの側面部との隙間に側方から進入しようとする水滴などの異物が入り込み易くなり、電線接続部と外導体とが短絡されるおそれがある。その点、上記構成の場合、接続部区画壁に規制部が設けられているため、規制部がカバー片部の突出方向の先端部を側方から覆うことにより、電線接続部に異物が入り込みにくくなる。
【００１２】
＜実施例１＞
以下、実施例１を図面に基づいて説明する。実施例１のコネクタは、シールドコネクタであって、金属製の複数の内導体１０と、金属製の外導体２０と、合成樹脂製の誘電体４０と、を備える。なお、以下の説明において、前後方向は、図１の左側を前側とし、上下方向は、図１を基準とする。
【００１３】
各内導体１０は、金属板を曲げ加工などして前後方向に細長く延びる形状に成形される。各内導体１０は、図８に示すように、前部に、図示しない相手内導体に接続される筒状の相手接続部１１を有し、後部に、電線９０に接続されるバレル状の電線接続部１２を有している。電線接続部１２は、電線９０の端部において露出する導体部９１に圧着により接続される。
【００１４】
電線９０は、各内導体１０に対応して複数設けられる。各電線９０は、図２に示すように、誘電体４０の後方に引き出されて、シールド電線９２の外被９３により一括して包囲される。外被９３内には編組線などのシールド部材９４が挿通されている。シールド部材９４の端部は、捲り返されて外被９３の外周側に露出して配置される。
【００１５】
外導体２０は、誘電体４０を包囲する筒状をなし、シールド部材９４の端部に接続され、各内導体１０からノイズが漏洩し、又は各内導体１０にノイズが侵入するのを防止する。外導体２０は、図１に示すように、上側に位置するアッパ部材２１と、下側に位置するロア部材２２とからなる。
【００１６】
ロア部材２２は、図１に示すように、前後方向に延びる帯板状の底板部２３と、底板部２３の左右両端（幅方向両端）から上方に突出する一対の側板部２４とを有している。各側板部２４は、外側に切り起こされた係止突起２５と、係止突起２５の前方に配置される係合孔２６とを有している。
【００１７】
アッパ部材２１は、前後方向に延びる帯板状の天板部２７と、天板部２７の左右両端から下方に突出する一対の覆い板部２８とを有している。天板部２７は、上面（外面）に、平面矩形状の係止凹所２９を有している。係止凹所２９は、図示しないハウジングケースのランスに係止される。外導体２０は、ハウジングケース内に収容され、ハウジングケースが図示しない相手コネクタに嵌合されることで、図示しない相手外導体に接続される。
【００１８】
各覆い板部２８は、内側に屈曲する弾性変形可能な接触片３１と、接触片３１の前方に配置される係止孔３２とを有している。各覆い板部２８の接触片３１は、ロア部材２２の各側板部２４の外面に弾性的に接触する。各覆い板部２８の各係止孔３２には、図４に示すように、ロア部材２２の各係止突起２５が嵌入可能とされる。アッパ部材２１は、天板部２７の後方に、バレル部３３を有している。バレル部３３は、底板部２３の後端部とともにシールド部材９４の端部を包囲し、シールド電線９２の端部に圧着により接続される。
【００１９】
誘電体４０は、図５及び図７に示すように、ハウジング４１と、ハウジング４１に組み付けられる上下一対のカバー４２とからなる。ハウジング４１は、図９及び図１０に示すように、前面部４３、基部４４、仕切部４５及び一対の側面部４６により一体に構成される。
【００２０】
前面部４３は、所定厚みの前壁であって、上下方向及び左右方向にほぼ沿って配置される。基部４４は、板状をなし、左右方向及び前後方向にほぼ沿って配置され、前端が前面部４３の上下中央部に一体に連結される。仕切部４５は、板状をなし、上下方向及び前後方向にほぼ沿って配置され、前端が前面部４３の左右中央部に一体に連結される。また、仕切部４５は、図９に示すように、上下中央部で基部４４の左右中央部と交差して連結され、仕切部４５との間に背面視十字形を呈する。各側面部４６は、板状をなし、上下方向及び前後方向にほぼ沿って配置され、前端が前面部４３の左右端部に一体に連結される。
【００２１】
ハウジング４１は、図９に示すように、前面部４３、基部４４、仕切部４５及び各側面部４６によって区画される上下２段、左右２列の収容部４７を有している。上段の各収容部４７は、後方及び上方に開放され、内導体１０が挿入された後、上方の開口面が上側のカバー４２で閉塞される。下段の各収容部４７は、後方及び下方に開放され、同じく内導体１０が挿入された後、下方の開口面が下側のカバー４２で閉塞される。各収容部４７は、図１０に示すように、後部に、前後方向にほぼ一定幅で且つ前部より少し幅広の接続部収容領域４８を有している。
【００２２】
前面部４３は、図２及び図９に示すように、各収容部４７に連通するタブ挿通孔４９を有している。各タブ挿通孔４９には、前方から図示しない相手内導体のタブが挿入される。タブは、内導体１０の相手接続部１１に挿入接続される。前面部４３は、図８〜図１０に示すように、上下夫々の端面に、後端角部を切り欠いた形状の凹部５１を有している。凹部５１は、上下方向にほぼ沿って配置される前壁部分と、前壁部分の下端から後方（収容部４７が位置する方向）へ行くに従って基部４４に近づくように傾斜して配置される斜面部分と、各側面部４６の内面と対応して配置される左右夫々の側壁部分と、により区画される。
【００２３】
仕切部４５は、左右に隣接する収容部４７間を仕切る隔壁部分であって、上下端に、凹状に切り欠いた形状の凹所５２を有し、凹所５２の後方に、上方に突出する板片状の突起５３を有している。
【００２４】
各側面部４６は、図１に示すように、前部に上下幅が大きい前方側面部５４を有し、後部に前方側面部５４より上下幅が小さい後方側面部５５を有している。収容部４７に内導体１０が収容されたときに、前方側面部５４は相手接続部１１に隣接して配置され、後方側面部５５は電線接続部１２に隣接して配置されるようになっている。
【００２５】
前方側面部５４は、外面（収容部４７内に臨む面とは反対側の面）の上下端部に、一対の爪状のハウジング側係止部５６を有している。各ハウジング側係止部５６は、図７に示すように、カバー４２の後述するカバー側係止部５７と係止可能とされている。
【００２６】
後方側面部５５は、図１０に示すように、接続部収容領域４８の側方を区画する接続部区画壁として構成される。後方側面部５５は、図５に示すように、先端部（基部４４から突出する方向の端部）に、カバー４２の後述する連設部６５の先端部（後述するカバー側斜面部６９）と上下方向に重なるように配置され、連設部６５の先端部を側方（外側）から覆うことが可能な規制部７１を有している。後方側面部５５は、背面視において基部４４側へ向けて徐々に上下幅を小さくするテーパ状（アリ状）を呈している。
【００２７】
後方側面部５５は、規制部７１を構成する先端部に、板厚方向（幅方向）に関し、外面側から内面側（収容部４７内に臨む面側）にかけて基部４４に近づくように傾斜する一対のハウジング側斜面部５８を有している。また、後方側面部５５は、図１０に示すように、前方側面部５４より外側に張り出す厚肉領域を有し、厚肉領域の前端に、図７に示すように、側面視において前方へ向けて徐々に上下幅を小さくするテーパ状の傾斜端面５９を有している。
【００２８】
上下一対のカバー４２は、図５に示すように、左右に隣接する収容部４７の開口面を一括して覆う矩形板状のカバー本体６１と、カバー本体６１の左右端に連なってカバー本体６１の板面と交差（詳細には直交）する方向（上方又は下方）に突出する一対のカバー片部６２とからなる。なお、上下一対のカバー４２は、互いに同一形状であるため、同一符号を付し、特に区別する必要がない限り、個別の説明を省略する。
【００２９】
カバー本体６１は、図１１及び図１２に示すように、後側の左右中央部に、矩略形の突入孔６３を有し、内面（収容部４７に臨む面）に、幅方向に延びるリブ状のリテーナ部６４を有している。カバー４２がハウジング４１に取り付けられたときに、図２に示すように、突入孔６３に突起５３が緊密に嵌入され、図８に示すように、リテーナ部６４が内導体１０の相手接続部１１の後端に係止可能に配置される。カバー本体６１は、前端の下側角部に、ハウジング４１の凹部５１の斜面部分に沿って配置される斜面部分を有している。
【００３０】
各カバー片部６２は、前部にカバー側係止部５７を有し、後部にカバー側係止部５７と一体に連なる連設部６５を有している。各カバー側係止部５７は、カバー本体６１の板面方向（幅方向）に少し張り出したあと上方又は下方に突出する矩形枠状をなし、内側に、ハウジング側係止部５６を嵌合可能な孔部６６を有している。孔部６６は、カバー側係止部５７において、幅方向に貫通し且つ上方に開放されている。各カバー側係止部５７は、図７に示すように、前後両端の角部に、斜めに切り欠かれた形状の面取り部６７を有している。カバー４２がハウジング４１に取り付けられたときに、後端側の面取り部６７がハウジング４１の傾斜端面５９に沿って配置されるようになっている。
【００３１】
各連設部６５は、図１１及び図１２に示すように、各カバー側係止部５７に対し幅方向内側に位置ずれして配置されている。各連設部６５は、外面の後部に、前後方向に長いリブ状の係合突部６８を有している。各係合突部６８は、図３に示すように、ロア部材２２の各係合孔２６に嵌入して係合可能とされている。
【００３２】
各連設部６５は、図５及び図１２に示すように、突出方向の先端面（上端面又は下端面）に、板厚方向（幅方向）に関し、内面側から外面側にかけてカバー本体６１に近づくように傾斜する一対のカバー側斜面部６９を有している。各カバー側斜面部６９は、各ハウジング側斜面部５８とほぼ同一の傾斜角（上下方向、幅方向に対する傾斜角）を有し、カバー４２がハウジング４１に取り付けられたときに、各ハウジング側斜面部５８に沿って対面して配置される。
【００３３】
次に、本実施例１のコネクタの組み付け方法及び作用効果を説明する。
まず、ハウジング４１の各収容部４７に内導体１０が挿入され、ハウジング４１にカバー４２が取り付けられる。カバー４２は、各カバー側係止部５７の弾性変位を伴った後、孔部６６に各ハウジング側係止部５６が嵌り込むことにより、ハウジング４１に抜け止め状態に保持される（図７を参照）。カバー４２がハウジング４１に取り付けられるときに、カバー４２の突入孔６３にハウジング４１の突起５３が嵌入され（図２を参照）、突入孔６３の内面に、突起５３の前後両端に設けられたクラッシュ部７２（図１０を参照）が潰れるようにして緊密に挿入される。
【００３４】
ここで、電線９０が基部４４から離間する方向に振れると、カバー４２が電線９０と干渉してハウジング４１から外れる方向の力を受けるが、本実施例１の場合、突起５３がクラッシュ部７２を介することで突入孔６３に実質的に固定状態に挿入されるため、各カバー側係止部５７と各ハウジング側係止部５６との係止状態を良好に維持することができ、カバー４２がハウジング４１から不用意に外れるのを防止することができる。また、カバー４２がハウジング４１に取り付けられると、相手接続部１１の後端にリテーナ部６４が係止可能に配置され、内導体１０が収容部４７に抜け止め状態に保持される（図８を参照）。
【００３５】
そして、図５に示すように、各規制部７１が各カバー側斜面部６９を側方から覆うようにして配置され、各ハウジング側斜面部５８が各カバー側斜面部６９に対し上下方向（カバー４２の取り付け方向）及び幅方向（連設部６５及び後方側面部５５の板厚方向）と交差する方向に沿って対面して配置される。このため、連設部６５の突出方向の先端部と後方側面部５５との間の隙間は、側面視において各規制部７１の内側に隠れて見えなくなる（図７を参照）。このため、側方から進入しようとする水滴などの異物は、規制部７１の外面に当たることで、連設部６５の突出方向の先端部と後方側面部５５との間の隙間に入り込むのが阻止され得る。  
【００３６】
仮に、各カバー片部６２がカバー本体６１との連結部位を支点として外側に開くような開き方向の力を受けると、その開き方向で各カバー側斜面部６９が各ハウジング側斜面部５８に当接することから、各カバー片部６２の開き動作が抑制される。このため、各カバー側係止部５７と各ハウジング側係止部５６との係止状態をより良好に維持することができる。
【００３７】
また、カバー４２がハウジング４１に取り付けられると、前面部４３の凹部５１に、カバー本体６１の前端部が嵌入され、凹部５１とカバー本体６１のそれぞれの斜面部分（図８の符号Ａで示す部分）が対面して当接可能に配置される。この凹部５１とカバー本体６１のそれぞれの斜面部分によって、上方から進入しようとする水滴などの異物が収容部４７の前部側に入り込みにくくなる。
【００３８】
その後、誘電体４０がロア部材２２に取り付けられる。誘電体４０は、各係合突部６８がロア部材２２の各係合孔２６に嵌入することで、ロア部材２２に抜け止め状態に保持される。続いて、誘電体４０の上方からアッパ部材２１が被せ付けられる。アッパ部材２１は、各接触片３１がロア部材２２の各係止孔３２に嵌入されることにより、誘電体４０を間に挟んで、ロア部材２２に抜け止め状態に保持される。このとき、アッパ部材２１のバレル部３３がシールド電線９２の端部に圧着により接続され、外導体２０がシールド部材９４に電気的に接続される。
【００３９】
以上説明したように、本実施例１によれば、ハウジング４１が各カバー片部６２の突出方向の先端部を側方から覆って各カバー片部６２の開き動作を抑える各規制部７１を有するため、各カバー側係止部５７と各ハウジング側係止部５６との係止状態を良好に維持することができる。しかも、各規制部７１は、各カバー片部６２の突出方向の先端部との間に形成され得る隙間を側方から見て無くすことができるので、側方から進入しようとする水滴などの異物が収容部４７内に入り込みにくくなる。その結果、収容部４７に収容された内導体１０と外導体２０とが異物を介して短絡された状態になるのを回避することができ、内導体１０と外導体２０との電気的な絶縁を確保することができる。特に、ハウジング側斜面部５８が接続部収容領域４８の側方を区画する後方側面部５５に設けられ、内導体１０の電線接続部１２と外導体２０とが短絡されるのを回避することができるため、電気的な信頼性をより高めることができる。
【００４０】
また、収容部４７に収容される内導体１０と外導体２０との間の絶縁距離を設定する際には、図１３の符号Ｂで示す隙間の沿面距離を確保すればよいため、本実施例１のように、ハウジング側斜面部５８とカバー側斜面部６９が上下方向及び幅方向と交差する方向に沿って傾斜して対面する構成であれば、カバー片部６２の突出方向の先端部と規制部７１が傾斜せず幅方向に沿って対面する場合と比べ、コネクタの幅方向の寸法を小さくすることができ、小型化に寄与することができる。
【００４１】
＜他の実施例＞
以下、他の実施例を簡単に説明する。
（１）規制部は、カバー片部の突出方向の先端部を側方から覆い、カバー片部の開き動作を抑えることができる構造であればよく、例えば、ハウジング側斜面部に代えて、カバー片部の突出方向の先端部の外面を覆うように上下方向に沿って起立する壁面として構成されてもよい。この場合、カバー片部の突出方向の先端部に、カバー側斜面部を設ける必要はなく、上下方向に沿った外面部分が設けられていればよい。
（２）上記実施例１は、各収容部がハウジングに上下２段に配置され、カバーが下側及び上側に対をなして設けられていたが、本発明の場合、各収容部がハウジングに一段で配置され、カバーが一つだけ設けられるものであってもよい。    （３）上記実施例１は、外導体がアッパ部材とロア部材とからなるものであったが、本発明の場合、外導体は全体が筒状に一体成形されるものであってもよい。
【符号の説明】
【００４２】
１０…内導体
１２…電線接続部
２０…外導体
４０…誘電体
４１…ハウジング
４６…側面部
４７…収容部
５５…後方側面部（接続部区画壁）
５８…ハウジング側斜面部
６１…カバー本体
６２…カバー片部
６９…カバー側斜面部
７１…規制部
９０…電線
【図１】
2020053280.tif 000003
【図２】
2020053280.tif 000004
【図３】
2020053280.tif 000005
【図４】
2020053280.tif 000006
【図５】
2020053280.tif 000007
【図６】
2020053280.tif 000008
【図７】
2020053280.tif 000009
【図８】
2020053280.tif 000010
【図９】
2020053280.tif 000011
【図１０】
2020053280.tif 000012
【図１１】
2020053280.tif 000013
【図１２】
2020053280.tif 000014
【図１３】
2020053280.tif 000015